(57)【要約】【課題】  階段に乗った人の数等によって階段自体の固有振動数が変化しても、制振効果がうすれてしまうことのない階段を、階段形状に制限がなく提供することにある。【解決手段】  階段本体２の上端部と下端部とが建物の躯体３，４に支持された階段１において、階段本体２の上端部は躯体３に接合され、階段本体２の下端部は躯体４との間に振動吸収装置５を設けて躯体４に支持され、振動吸収装置５は階段本体２の下端部に生じる上下方向の撓みＴを吸収可能になされていることを特徴とする。【選択図】  図１
2006152621.tif 000002
【特許請求の範囲】
【請求項１】
階段本体の上端部と下端部とが建物の躯体に支持された階段において、階段本体の上端部は躯体に接合され、階段本体の下端部は躯体との間に振動吸収機構を設けて躯体に支持され、振動吸収機構は階段本体の下端部に生じる上下方向の撓みを吸収可能になされていることを特徴とする階段。
【請求項２】
階段本体の上方部と下方部が同一方向に向かって傾斜した直階段であることを特徴とする請求項１記載の階段。
【請求項３】
振動吸収機構は、バネ部材とダンパー部材とを備えてなることを特徴とする請求項1または２記載の階段。
【請求項４】
階段本体は、左右のささら桁と、ささら桁間に掛け渡された段板とからなり、振動吸収機構は各ささら桁の下端部に設けられていることを特徴とする請求項１〜３のいずれか１項に記載の階段。
【発明の詳細な説明】
【技術分野】
【０００１】
本発明は、階段に関する。
【背景技術】
【０００２】
従来、歩行に伴う振動を抑制する階段としては、例えば特許文献１に記載されているものが知られている。この階段は、階段本体に、付加振動体型の制振装置（ＴＭＤ）を、それの振動方向を上下とする姿勢で階段部分に取り付けることにより構成される。従って、スパン中間部に支柱を設けたり、あるいは、側桁の見付け幅を大きくしたりすることなく、歩行に伴う階段本体の上下振動を抑制することができる。
【０００３】
しかしながら、上記特許文献１に記載の階段にあっては、階段に乗った人の数によって階段自体の固有振動数が変化するため、上記制振装置による制振効果が薄れてしまうという問題があった。このような特許文献１に記載の階段の課題を解決するものとして、特許文献２に記載されているような階段の制振構造が知られている。この階段の制振構造は、傾斜方向の異なる下方階段部と上方階段部との間に踊り場を設けた廻り階段において、上方階段部の上端部を回動可能に支持するとともに、下方階段部の下端部を移動可能に支持し、この移動支持部に振動吸収機構を設けるようにしたものである。従って、階段に入力される上下振動を回転振動に変換して、これを上記振動吸収機構によって吸収する構造であるため、階段への荷重変化によって固有振動数が変化した場合であっても制振効果が薄れることはない。
【特許文献１】特許第２９７５４４０号公報
【特許文献２】特開平１０−２９２５８７号公報
【発明の開示】
【発明が解決しようとする課題】
【０００４】
しかしながら、上記特許文献２記載のような従来技術にあっては、階段形状が廻り階段に限定されるという問題があった。
【０００５】
本発明の課題は、階段に乗った人の数等によって階段自体の固有振動数が変化しても、制振効果が薄れてしまうことのない階段を、階段形状に制限がなく提供することにある。
【課題を解決するための手段】
【０００６】
請求項１記載の発明は、階段本体の上端部と下端部とが建物の躯体に支持された階段において、階段本体の上端部は躯体に接合され、階段本体の下端部は躯体との間に振動吸収機構を設けて躯体に支持され、振動吸収機構は階段本体の下端部に生じる上下方向の撓みを吸収可能になされていることを特徴とする。
【０００７】
請求項２記載の発明は、請求項１記載の階段において、階段本体の上方部と下方部が同一方向に向かって傾斜した直階段であることを特徴とする
【０００８】
請求項３記載の発明は、請求項1または２記載の階段において、振動吸収機構は、バネ部材とダンパー部材とを備えてなることを特徴とする。
【０００９】
請求項４記載の発明は、請求項１〜３のいずれか１項に記載の階段において、階段本体は、左右のささら桁と、ささら桁間に掛け渡された段板とからなり、振動吸収機構は各ささら桁の下端部に設けられていることを特徴とする。
【発明の効果】
【００１０】
請求項１記載の発明によると、階段本体の上端部は躯体に接合され、階段本体の下端部は躯体との間に振動吸収機構を設けて躯体に支持され、振動吸収機構は階段本体の下端部に生じる上下方向の撓みを吸収可能になされているので、人の上り下り等によって階段に上下方向の振動が発生すると、この上下振動は振動吸収機構によって吸収される。従って、階段に乗った人の数等によって階段自体の固有振動数が変化しても、上記振動吸収機構によって吸収する構造であるから、制振効果が薄れてしまうことはなく、しかもこの際、階段形状の制限もない。
【００１１】
請求項２記載の発明によると、さらに、階段本体の上方部と下方部が同一方向に向かって傾斜した直階段であるから、階段構造を簡素化できる。
【００１２】
請求項３記載の発明によると、さらに、振動吸収機構が、バネ部材とダンパー部材とを備えてなるので、上下振動はバネ部材によって効果的に吸収されるとともに、ダンパー部材によって早期に減衰できる。
【００１３】
請求項４記載の発明によると、さらに、振動吸収機構は各ささら桁の下端部に設けられているので、バランスよく上下振動を吸収できる。
【発明を実施するための最良の形態】
【００１４】
図１、図２は、本発明の一実施の形態であって、図１は階段が取り付けられた建物の躯体の縦断面図である。図２（ａ）は図１の階段の下端部を詳細に示す断面図、（ｂ）は（ａ）図のＡ−Ａ線における矢視図である。図３（ａ）は図２と異なる位置に取り付けられた階段の下端部を詳細に示す断面図、（ｂ）は（ａ）図のＢ−Ｂ線における矢視図である。図４（ａ）は振動吸収装置の平面図、(ｂ)は断面図である。図において、１は階段、２は階段本体、３，４は建物の躯体、５は振動吸収装置である。
【００１５】
本実施の形態の階段１は、建物の２階に設置されたオープン階段であり、建物は複数の建物ユニットを隣接配置して構築されたユニット方式の建物である。階段１は、図１に示すように、階段本体２の上端部が躯体３（例えば、２階天井梁等）にボルト、ナット等で剛接合されている。そして、階段本体２の下端部は、躯体４との間に振動吸収装置５を設けて躯体４に支持されている。階段１は、階段本体２の上側に不図示の手摺を備えるが、階段本体２の上下に壁が無く、階段本体２の下方に開放された空間が形成されている。この振動吸収装置５は階段本体２の下端部に生じる上下方向の撓みＴを吸収可能になされている（図１参照）。躯体４は、２階フロアーＦＬの下方に設けられている床梁である。
【００１６】
本実施の形態の階段１は、階段本体２の上方部と下方部が同一方向に向かって傾斜した直階段であるが、階段本体２の上方部と下方部との間に、踊り場を設けてもよい。
【００１７】
振動吸収装置５は、バネ部材とダンパー部材とを備えたものであって、その詳細を図４に示している。図４に示す振動吸収装置５は、植え込みボルト５１が上方に突出するように取り付けられた鋼製の柱状スタッド５２と、柱状スタッド５２の外周を覆うように取り付けられたクッションゴム５３と、クッションゴム５３を支えるためにその周囲に埋め込まれたフランジ付きケース５４と、ケース５４のフランジと重ね合うように同じくフランジ付にされた底付き容器状のキャップ５５と、クッションゴム５３の下方に位置しスタッド５２の下端部から外側に向けて水平に突出するように取り付けられた円板状のダンピングプレート５６と、キャップ５５の底部に上記ダンピングプレート５６で仕切られた空洞部に充填されたシリコーンオイル５７とから構成されている。５８はプラグであって、シリコーンオイル５７を充填するために設けられている。この振動吸収装置５においては、クッションゴム５３がバネ部材としての働きをし、キャップ５５の底部に充填されたシリコーンオイル５７とダンピングプレート５６とが、スタッド５２を介して入力された振動を前記ダンピングプレート５６が前記シリコーンオイル５７を攪拌することによって減衰させることでダンパー部材としての働きをする。
【００１８】
上記階段１において、階段本体２は、図２、図３に示すように、左右のささら桁２１と、ささら桁２１間に掛け渡された段板２２とからなり、上記の振動吸収装置５は各ささら桁２１の下端部に設けられている。
【００１９】
図２に示す階段本体２は、階段１の昇降方向が床梁４１と平行な方向に向けて設けられている例である(建物ユニットの桁方向に沿った直線階段で、妻大梁に至らない「桁直オープン階段」)。この際、振動吸収装置５は、床梁４１に直交する２本の平行な床小梁４２，４２間に掛け渡された取付金物４３の凹所に六角ボルトナット７，７で装着され、振動吸収装置５の上端部から上方に突出する植え込みボルト５１をこれに螺入した上下２個のナット６,６で挟むようにしてささら桁２１の下端部に取り付けられる。
【００２０】
また、図３に示す階段本体２は、桁側の床梁４１に直付けされた例である(建物ユニットの妻方向に沿った直線階段で、桁大梁に至る「妻直オープン階段」)。この際、振動吸収装置５は、床梁４１の内側に向けて取り付けられた取付金物４３に六角ボルトナット７，７で装着され、振動吸収装置５の上端部から上方に突出する植え込みボルト５１をこれに螺入した上下２個のナット６,６で挟むようにしてささら桁２１の下端部に取り付けられる。図３において、４４は建物ユニットの四隅に設けられた柱である。
【００２１】
上記のように構成された本実施の形態の階段１によると、以下のような作用効果がある。
【００２２】
（１）階段本体２の上端部は躯体３に接合され、階段本体２の下端部は躯体４との間に振動吸収装置５を設けて躯体４に支持され、振動吸収装置５は階段本体２の下端部に生じる上下方向の撓みＴを吸収可能になされているので、人の上り下り等によって階段１に上下方向の振動が発生すると、この上下振動は振動吸収装置５によって吸収される。従って、階段１に乗った人の数等によって階段自体の固有振動数が変化しても、上記振動吸収装置５によって吸収する構造であるから、制振効果が薄れてしまうことはなく、しかもこの際、階段形状の制限もない。
【００２３】
（２）さらに、階段本体２の上方部と下方部が同一方向に向かって傾斜した直階段であるから、階段構造を簡素化できる。
【００２４】
（３）さらに、振動吸収装置５が、バネ部材であるクッションゴム５３と、ダンパー部材であるダンピングプレート５６とシリコーンオイル５７とを備えてなるので、上下振動はバネ部材によって効果的に吸収されるとともに、ダンパー部材によって早期に減衰できる。
【００２５】
（４）さらに、振動吸収装置５は各ささら桁２１の下端部に設けられているので、バランスよく上下振動を吸収できる。
【００２６】
以上、本発明を実施の形態に基づいて説明してきたが、本発明は上記実施の形態に限られるものではなく、本発明の要旨を逸脱しない範囲の設計の変更等があっても本発明に含まれる。例えば、上記本実施の形態の階段は直階段であったが、本発明は螺旋階段、廻り階段であってもよい。
【産業上の利用可能性】
【００２７】
本発明の階段は、階段形状に制限がなく、階段の振れ、階段を取り付けている躯体(主に床面)の振動、階下への昇降時の衝撃音を緩和でき、静かで快適な戸建住宅、集合住宅等を実現できる。
【図面の簡単な説明】
【００２８】
【図１】本発明の一実施の形態であって、階段が取り付けられた建物の躯体の縦断面図である。
【図２】（ａ）は図１の階段の下端部を詳細に示す断面図、（ｂ）は（ａ）図のＡ−Ａにおける矢視図である。
【図３】（ａ）は図２と異なる位置に取り付けられた階段の下端部を詳細に示す断面図、（ｂ）は（ａ）図のＢ−Ｂ線における矢視図である。
【図４】（ａ）は振動吸収装置の平面図、(ｂ)は断面図である。
【符号の説明】
【００２９】
１    階段
２    階段本体
２１  ささら桁
２２  段板
３、４  躯体
５    振動吸収装置
【図１】
2006152621.tif 000003
【図２】
2006152621.tif 000004
【図３】
2006152621.tif 000005
【図４】
2006152621.tif 000006